(57)【要約】【課題】ハウジングへの固定が容易で、組み込み後に複数のころを保持する保持器が軸受から抜け落ちることがないシェル形ころ軸受を得ることを目的とする。【解決手段】針状ころ１３の軌道面となる円筒部の軸方向の端側に径方向内向きに屈曲した鍔部１１ｂ、１１ｃを有するシェル形外輪１１と、シェル形外輪１１の内部に組み込むんだ複数のころ１３を保持した保持器１２とを備えたシェル形ころ軸受１０において、シェル形外輪１１の鍔部１１ｃの外周に、当該シェル形外輪の外周面を内嵌固定するハウジングであるシリンダブロック２の嵌合孔３の開口縁の周囲に設けた段部４に係合する径方向外向きのフランジ部１１ｄを設けて構成されている。【選択図】図１
2008224009.tif 000002
【特許請求の範囲】
【請求項１】
ころの軌道面となる円筒部の軸方向の端側に径方向内向きに屈曲した鍔部を有するシェル形外輪と、
シェル形外輪の内部に組み込むんだ複数のころを保持した保持器とを備えたシェル形ころ軸受において、
シェル形外輪の鍔部の外周に、当該シェル形外輪の外周面を内嵌固定するハウジングの嵌合孔の開口縁の周囲に係合する径方向外向きのフランジ部を設けたことを特徴とするシェル形ころ軸受。
【請求項２】
前記シェル形外輪は板材より形成され、前記フランジ部は円筒状のシェル形外輪の端部を外径側に折曲げて形成され、このフランジ部の外縁をさらに内径側に折曲げて鍔部を形成したことを特徴とする請求項１記載のシェル形ころ軸受。
【請求項３】
前記シェル形外輪は板材より形成され、前記鍔部は円筒状のシェル形外輪の端部を内径側に折曲げて形成され、この鍔部の内縁をさらに外径側に折曲げてフランジ部を形成したことを特徴とする請求項１記載のシェル形ころ軸受。
【発明の詳細な説明】
【技術分野】
【０００１】
本発明は特にハウジングに固定されるシェル形ころ軸受に関するものである。
【背景技術】
【０００２】
従来のシェル形ころ軸受のハウジングへの固定として、軽合金ハウジングの軸受受孔の開口部周縁に段部を形成しておき、そこに適用されるべきシェル型ころ軸受のシェルには鍔を外方に折曲し、且つ適当な曲面に形成する方法がある。その鍔の外径は段部の内径に相応するように形成する。また、シェルの外径は軸受受孔の内径と軽度の強制嵌合となる程度の寸法に形成しておく。
そして、軽合金ハウジングの軸受受孔にシェル型軸受を嵌入させるに際し、シェルの開口縁の曲面に相応する面を有し、保護突縁を有する押圧子環を当てて押圧嵌合し、更に鍔が段部に納まった時に、押圧力を強める。そうすると、鍔の外端縁は段部の底面を最初に辷り、次に浮き上がりつつ外方に開き、その一角は段部の側壁に食い込むように固定させられる（例えば、特許文献１参照）。
【特許文献１】実公昭４６−１７８４７号公報（第１頁、第１図）
【発明の開示】
【発明が解決しようとする課題】
【０００３】
しかしながら、上述した従来のシェル形ころ軸受のハウジングへの固定では、軽合金ハウジングの軸受受孔の開口部周縁に段部を形成しているため、その段部にシェル型ころ軸受のシェルの外方に折曲した鍔を押圧子環により押圧嵌合することで、シェル型ころ軸受の軸方向の位置決めがされ、軽合金ハウジングの軸受受孔にシェル型軸受が嵌入させられるが、シェル型ころ軸受のシェルの一方の鍔は外方に折曲されているため、シェルに収納される複数のころを保持する保持器に鍔に向かう軸方向の力が作用した場合に、その保持器がシェルの外方に折曲されている鍔から抜け落ちるおそれがあるものであった。
本発明はかかる問題点を解決するためになされたもので、ハウジングへの固定が容易で、組み込み後に複数のころを保持する保持器が軸受から抜け落ちることがないシェル形ころ軸受を得ることを目的とする。
【課題を解決するための手段】
【０００４】
本発明に係るシェル型ころ軸受は、ころの軌道面となる円筒部の軸方向の端側に径方向内向きに屈曲した鍔部を有するシェル形外輪と、
シェル形外輪の内部に組み込むんだ複数のころを保持した保持器とを備えたシェル形ころ軸受において、
シェル形外輪の鍔部の外周に、当該シェル形外輪の外周面を内嵌固定するハウジングの嵌合孔の開口縁の周囲に係合する径方向外向きのフランジ部を設けて構成したものである。
また、前記前記シェル形外輪は板材より形成され、前記フランジ部は円筒状のシェル形外輪の端部を外径側に折曲げて形成され、このフランジ部の外縁をさらに内径側に折曲げて鍔部を形成したものである。
さらに、前記シェル形外輪は板材より形成され、前記鍔部は円筒状のシェル形外輪の端部を内径側に折曲げて形成され、この鍔部の内縁をさらに外径側に折曲げてフランジ部を形成したものである
【発明の効果】
【０００５】
本発明に係るシェル型ころ軸受においては、ころの軌道面となる円筒部の軸方向の端側に径方向内向きに屈曲した鍔部を有するシェル形外輪と、シェル形外輪の内部に組み込むんだ複数のころを保持した保持器とを備えたシェル形ころ軸受において、シェル形外輪の鍔部の外周に、当該シェル形外輪の外周面を内嵌固定するハウジングの嵌合孔の開口縁の周囲に係合する径方向外向きのフランジ部を設けて構成したので、ハウジングの嵌合孔へシェル形針状ころ軸受をシェル形外輪の軸方向一端側に形成された径方向内向きに屈曲された鍔部から圧入していくと、シェル形外輪の軸方向他端側に形成された径方向内向きに屈曲された鍔部に連設した外向きに折り曲げて形成したフランジ部がハウジングの嵌合孔の後端側の開口部の周囲に設けられた段部に入り込むことにより、軸方向に容易に位置決めされた状態でハウジングの嵌合孔に完成したシェル形外輪を組み込むことができるという効果がある。
また、シェル形針状ころ軸受のシェル形外輪は板材により形成され、軸方向両端に径方向内向きの屈曲された鍔部を有しているので、ハウジングの嵌合孔へのシェル形外輪の組み込後に保持器に軸方向の力が作用したとしても、その保持器が径方向内向きの屈曲された鍔部に当たるため、シェル形外輪から保持器が抜け落ちることはないという効果もある。
さらに、前記フランジ部は円筒状のシェル形外輪の端部を鍔部と一緒に折り曲げて簡単に形成することができる。
【発明を実施するための最良の形態】
【０００６】
図１は本発明の実施の形態１に係るシェル形ころ軸受としてのシェル形針状ころ軸受が組み込まれた状態を示す断面図、図２は同シェル形針状ころ軸受が組み込まれる直前の状態を示す断面図、図３は同シェル形針状ころ軸受が組み込まれた斜板式圧縮機を示す断面図である。
図１において、斜板式圧縮機１のシリンダブロック２の嵌合孔３の後端側の開口部の周囲には段部４が設けられている。
そのシリンダブロック２の嵌合孔３に挿着されるシェル形針状ころ軸受１０は、シェル形外輪１１の内部に複数のころとしての針状ころ１３を保持した保持器１２を収納する構成である。
このシェル形針状ころ軸受１０の内周には、針状ころ１３の内径軌道となる回転軸である駆動シャフト１７が挿通される。
【０００７】
外輪１１は、例えば一枚の金属板をプレス成形することにより円筒形に製作されるものであり、針状ころ１３の外径軌道となる円筒部１１ａを有し、この円筒部１１ａの軸方向一端側には傾方向内向きに９０度屈曲された円環状の鍔部１１ｂが設けられており、円筒部１１ａの軸方向他端側には外向きに９０度折り曲げて形成した円環状のフランジ部１１ｄに連設して径方向内向きに９０度屈曲された円環状の鍔部１１ｃが設けられている。
そして、外輪１１の鍔部１１ｃに連設するフランジ部１１ｄのフランジ高さ寸法は嵌合孔３の後端側の開口部の周囲に設けられた段部４の径方向長さ寸法と略同じに設定されると共にフランジ部１１ｄのフランジ厚さ寸法は嵌合孔３の後端側の開口部の周囲に設けられた段部４の軸方向長さ寸法と略同じに設定されている。即ち、嵌合孔３の段部４に外輪１１の鍔部１１ｃに連設するフランジ部１１ｄが収納されるように形成されている。
【０００８】
この実施の形態１にシェル形針状ころ軸受１０は、例えば図３に示す斜板式圧縮機１のシリンダブロック２の嵌合孔３に嵌入され、駆動シャフト１７の後端側を回転自在に支持している。
この斜板式圧縮機１は、例えばエアコンの冷媒圧縮用であり、図３に示すように、駆動源（図示しない）によって駆動シャフト１７が回転すると、斜板２１が回転することにより、ピストン２３がシリンダブロック２のシリンダボア２６内を往復動し、外部の冷媒回路内を循環する冷媒が、吸入室２８から吸入ポート２９を介して各シリンダボア２６内に入り、ピストン２３によって圧縮される。圧縮された冷媒は、吐出ポート３０を介して吐出室２７へ放出され、外部の冷媒回路を循環するというものである。
【０００９】
次に、本発明の実施の形態１に係るシェル形針状ころ軸受１０の製造手順を簡単に説明する。
まず、シェル形外輪１１は、低炭素鋼をベースとし、円筒形にプレス成形して円筒部１ａを形成する。しかる後に、円筒部１１ａの軸方向一端側を曲げ加工して径方向内向きに９０度屈曲された円環状の鍔部１１ｂを設け、更に円筒部１１ａの軸方向他端側を曲げ加工して外向きに９０度折り曲げて形成した円環状のフランジ部１１ｄに連設して径方向内向きに９０度屈曲された円環状の鍔部１１ｃを設ける。
最後に、上記のように両端が曲げ加工されたシェル形外輪１１の全体に焼き入れ処理を行い軸受軌道に必要な硬さを付与する。
【００１０】
次に、本発明の実施の形態１に係るシェル形針状ころ軸受１０のシリンダブロック２の嵌合孔３への組み込みについて説明する。
まず、焼き入れされたシェル形外輪１１の内部に複数の針状ころ１３を保持した保持器１２を組み込むんでシェル形針状ころ軸受１０を完成させる。
次に、完成したシェル形外輪１１の軸方向一端側に形成された径方向内向きに９０度屈曲された鍔部１１ｂからシリンダブロック２の嵌合孔３へと図２に示すように圧入していく。
そうすると、シェル形外輪１１の軸方向他端側に形成された径方向内向きに９０度屈曲された鍔部１１ｃに連設した外向きに９０度折り曲げて形成したフランジ部１１ｄがシリンダブロック２の嵌合孔３の後端側の開口部の周囲に設けられた段部４に入り込むことにより、図１に示すように位置決めされた状態でシリンダブロック２の嵌合孔３に完成したシェル形外輪１１に組み込まれることとなる。
【００１１】
この実施の形態１のシェル形針状ころ軸受１０では、シリンダブロック２の嵌合孔３の後端側の開口部の周囲に設けられた段部４に嵌合する外向きのフランジ部１１ｄをシェル形外輪１１の軸方向の一方端側の径方向内向きに９０度屈曲された鍔部１１ｃに連設して設けたので、シリンダブロック２の嵌合孔３へシェル形針状ころ軸受１０をシェル形外輪１１の軸方向一端側に形成された径方向内向きに９０度屈曲された鍔部１１ｂから圧入していくと、シェル形外輪１１の軸方向他端側に形成された径方向内向きに９０度屈曲された鍔部１１ｃに連設した外向きに９０度折り曲げて形成したフランジ部１１ｄがシリンダブロック２の嵌合孔３の後端側の開口部の周囲に設けられた段部４に入り込むことにより、軸方向に容易に位置決めされた状態でシリンダブロック２の嵌合孔３に完成したシェル形外輪１１に組み込むことができるという効果がある。
また、シェル形針状ころ軸受１０のシェル形外輪１１は軸方向両端に径方向内向きの９０度屈曲された鍔部１１ｃを有しているので、シリンダブロック２の嵌合孔３へのシェル形外輪１１の組み込後に保持器１２に軸方向の力が作用したとしても、その保持器１２が径方向内向きの９０度屈曲された鍔部１１ｃ、１１に当たるため、シェル形外輪１１から保持器１２が抜け落ちることはない。
【００１２】
また、上記実施の形態１では、シェル形外輪１１の鍔部の外周に、当該シェル形外輪の外周面を内嵌固定するハウジングであるシリンダブロック２の嵌合孔３の開口縁の周囲に設けた段部４に係合する径方向外向きのフランジ部１１ｄを設けているが、まず鍔部を円筒状のシェル形外輪１１の端部を内径側に折曲げて形成し、次にその鍔部の内縁をさらに外径側に折曲げてフランジ部を形成するようにしてもよい。
【００１３】
上記実施の形態１では、鍔部やフランジ部は全周にわたる円環状であったが、周方向に離隔して設けられる部分円環状であってもよい。また、円環状でなく凸部等の各種形状であってよいことは勿論である。
また、上記実施の形態１では、シェル形針状ころ軸受１０では、斜板式圧縮機１のシリンダブロック２の嵌合孔３に挿着されるとしたが、これに限定されるものではなく、シェル形針状ころ軸受１０が使用される各種機器のハウジングの嵌合孔に挿着されて使用されることはいうまでもない。
【図面の簡単な説明】
【００１４】
【図１】本発明の実施の形態１に係るシェル形針状ころ軸受が組み込まれた状態を示す断面図。
【図２】同シェル形針状ころ軸受が組み込まれる直前の状態を示す断面図。
【図３】同シェル形針状ころ軸受が組み込まれた斜板式圧縮機を示す断面図。
【符号の説明】
【００１５】
１  斜板式圧縮機、２  シリンダブロック（ハウジング）、３  嵌合孔、４  段部、１０  シェル形針状ころ軸受、１１  シェル形外輪、１１ａ  円筒部、１１ｂ  鍔部、１１ｃ  鍔部、１１ｄ  フランジ部、１２  保持器、１３  針状ころ。
【図１】
2008224009.tif 000003
【図２】
2008224009.tif 000004
【図３】
2008224009.tif 000005